(57)【要約】  この発明は、成形性に優れ、ひいては密封性の向上をも図ることができる樹脂製キャップを提供するものである。  この発明は、天壁と、この天壁の外周部から下方に向かって延び、容器口部の雄ねじに螺合する雌ねじを有するスカート壁とを備え、前記天壁の下面には、前記容器口部の内周面に密着する環状の中足と、前記容器口部の外周面に密着する環状の外足とを一体的に形成してある樹脂製キャップであって、前記外足の内周面は下方に向かって拡径し、外周面は下方に向かって縮径し、前記内周面のテーパ角度より前記外周面のテーパ角度を大きくしてある。
2018047711.tif 000002
【特許請求の範囲】
【請求項１】
天壁と、この天壁の外周部から下方に向かって延び、容器口部の雄ねじに螺合する雌ねじを有するスカート壁とを備え、前記天壁の下面には、前記容器口部の内周面に密着する環状の中足と、前記容器口部の外周面に密着する環状の外足とを一体的に形成してある樹脂製キャップであって、
前記外足の内周面は下方に向かって拡径し、外周面は下方に向かって縮径し、前記内周面のテーパ角度より前記外周面のテーパ角度を大きくしてあることを特徴とする樹脂製キャップ。
【請求項２】
前記内周面のテーパ角度を５°以上とし、前記外周面のテーパ角度を２０°以下としてある請求項１に記載の樹脂製キャップ。
【発明の詳細な説明】
【技術分野】
【０００１】
本発明は、例えば、飲料物等の内容物を収容する容器の口部に装着される樹脂製キャップに関する。
【背景技術】
【０００２】
従来の樹脂製キャップとして、天板部とその周縁から垂下した筒部とを備えたキャップ本体の天板部内面に、容器口部内に嵌入される環状の内側シール突起と、容器口部の開口端に当接する環状の開口端シール突起とが形成され、この開口端シール突起は、キャップ装着時に、容器口部によってキャップ本体に当接するまで拡径方向に曲げ変形するようにされたものが知られている（特許文献１）。【０００３】
斯かる樹脂製キャップでは、容器内の圧力が上昇するのに伴って、天板部の膨出変形により容器口部が縮径方向に曲げ変形しやすい状態となった場合においても、開口端シール突起が開口端を確実にシールし、高い密封性を維持することができる、とされている。
【先行技術文献】
【特許文献】
【０００４】
【特許文献１】特開２００２−６８２３６号公報
【発明の概要】
【発明が解決しようとする課題】
【０００５】
しかし、上記従来の樹脂製キャップには、成形性さらには密封性の向上を図る余地がある。【０００６】
本発明は上述の事柄に留意してなされたもので、その目的は、成形性に優れ、ひいては密封性の向上をも図ることができる樹脂製キャップを提供することにある。
【課題を解決するための手段】
【０００７】
上記目的を達成するために、本発明に係る樹脂製キャップは、天壁と、この天壁の外周部から下方に向かって延び、容器口部の雄ねじに螺合する雌ねじを有するスカート壁とを備え、前記天壁の下面には、前記容器口部の内周面に密着する環状の中足と、前記容器口部の外周面に密着する環状の外足とを一体的に形成してある樹脂製キャップであって、前記外足の内周面は下方に向かって拡径し、外周面は下方に向かって縮径し、前記内周面のテーパ角度より前記外周面のテーパ角度を大きくしてある（請求項１）。【０００８】
上記樹脂製キャップにおいて、前記内周面のテーパ角度を５°以上とし、前記外周面のテーパ角度を２０°以下としてあってもよい（請求項２）。
【発明の効果】
【０００９】
本願発明では、成形性に優れ、ひいては密封性の向上をも図ることができる樹脂製キャップが得られる。【００１０】
すなわち、本願の各請求項に係る発明の樹脂製キャップでは、外足に無理抜きが必要な箇所が形成されないので型抜き性（成形性）の向上を図ることができ、また、外足の外面側のテーパ角度が内面側のテーパ角度よりも大きく外足は拡径方向に弾性変形し難いため、容器口部に対する外足の密着力が増大し、ひいては密封性の向上を図ることができる。
【図面の簡単な説明】
【００１１】
【図１】本発明の一実施の形態に係る樹脂製キャップの構成を概略的に示す底面図である。
【図２】図１のＡ−Ａ線断面図である。
【図３】図１のＢ−Ｂ線断面図である。
【発明を実施するための形態】
【００１２】
本発明の実施の形態について図面を参照しながら以下に説明する。
【００１３】
図１〜図３に示す樹脂製キャップ（以下、キャップという）１は、例えばペットボトル等の容器の口部Ｍ（図３参照）に装着されて使用されるものであり、コンプレッション成形又はインジェクション成形によって、ポリエチレンで一体的に成形されている。なお、キャップ１を形成する素材は、特に限定されるものではなく、本実施形態で用いたポリエチレンの他、ポリプロピレン等が好適に用いられる。
【００１４】
また、図１及び図２に示すように、キャップ１は、平面視において略円形状の天壁２と、この天壁２の外周部から下向きに延びる略円筒状のスカート壁３を有している。ここで、スカート壁３の外周面にはローレット溝４を、内周面には雌ねじ５を設けてあり、この雌ねじ５は容器口部の外周に形成された雄ねじＭ１（図３参照）に結合可能である。
【００１５】
そして、容器口部Ｍの雄ねじＭ１にスカート壁３の雌ねじ５が結合するようにキャップ１を回転させて容器口部Ｍに装着すると、天壁２の内面（下面）に連設された環状の中足（インナーリング）６、環状リブ７及び環状の外足（アウターリング）８が容器口部Ｍに密着し、これにより、容器口部が密封された状態となる（図３参照）。すなわち、図３に仮想線で示すように、キャップ１が容器口部Ｍに装着された状態では、中足６は容器口部Ｍ内に差し込まれて容器口部Ｍの内周面に密着し、環状リブ７は容器口部Ｍの環状の上端面に密着し、外足８は容器口部Ｍの外周面に密着するように構成されている。
【００１６】
また、キャップ１は、未開封（開栓が一度もされていないこと）を証明する機能を有するピルファープルーフキャップであり、容器口部Ｍに装着された未開封のキャップ１の開封時（最初の開栓時）に、雄ねじＭ１と雌ねじ５の結合が解除されるようにキャップ１を回転させると、キャップ１は容器口部Ｍから離脱するが、スカート壁３の下部に連結されたタンパーエビデンスバンド（以下、単に「バンド」という）９は容器口部Ｍに残留するように構成されている。
【００１７】
すなわち、スカート壁３の下部には、スカート壁３の全周にわたって延びる環状弱化部１０を介してバンド９を連結してあり（図３参照）、環状弱化部１０は、スカート壁３とバンド９との境界の内周側に存在する複数のブリッジ１０ａと、スカート壁３とバンド９とを上下に画するようにスカート壁３及びバンド９の周方向に延びるスリット１０ｂとで構成され、ブリッジ１０ａが所定の力で引っ張られると破断するように、ブリッジ１０ａの一部（外周部分）もスリット１０ｂで切断されている。
【００１８】
また、バンド９の内周側には、内向きに突出する係止片（フラップ）１１を、周方向に間隔をおいて複数（本例では８個）設けてある（図１〜図３参照）。各係止片１１は、キャップ１が容器口部Ｍに装着された状態で、容器口部Ｍの外周において雄ねじＭ１よりも下方に形成された環状突起（ビード部）Ｍ２の略下側へ位置し、開栓操作によって環状突起Ｍ２に係止する（図３参照）。すなわち、係止片１１は、環状突起Ｍ２に下方から係止可能に構成され、開封の際に、環状弱化部１０より上方にあるキャップ本体部（スカート壁３及び天壁２）は容器口部Ｍから離脱し、環状弱化部１０より下方にあるバンド９は容器口部Ｍに残留し、これに伴って環状弱化部１０は破断する。
【００１９】
ここで、バンド９はキャップ本体部（スカート壁３及び天壁２）と一体成形され、バンド９に設けられる係止片１１は、キャップ１の成形時には図２に示すように下向きに突出しているが、容器口部Ｍへのキャップ１の装着の際に、環状突起Ｍ２に押し上げられて反転し、図３に仮想線で示すように上向きに突出する状態となる。
【００２０】
そして、本実施形態では、図３に示すように、外足８が、天壁２において外足８の外周側に位置する下面２ａよりも１．３５ｍｍ以上下方にまで延びている。すなわち、外足８の長さ（天壁２の下面２ａからの突出長さ）Ｌを一般的なものよりも長い１．３５ｍｍ以上としてある。これにより、容器口部Ｍの外周面に対して外足８の密着可能な領域が増加し、密封性の向上を図ることができる。具体的には、外足８の長さＬは、１．５８ｍｍ、１．７８ｍｍ等とすることができる。
【００２１】
ここで、中足６の外径は、中足６の基端と先端の間に形成された外径最大部６ａで最大となっていて、外足８は、中足６における基端から外径最大部６ａまでの間に相当する位置にまで延びている。
【００２２】
さらに、本実施形態では、図３に示すように、外足８の内周面は下方に向かって拡径し、外周面は下方に向かって縮径し、内周面のテーパ角度αより外周面のテーパ角度βを大きくしてある。具体的には、内周面のテーパ角度αを５°以上とし、外周面のテーパ角度βを２０°以下とすることが考えられる。斯かる構成により、外足８に無理抜きが必要な箇所が形成されないので型抜き性（成形性）の向上を図ることができ、また、外足８の外面側のテーパ角度βが内面側のテーパ角度αよりも大きく外足８は拡径方向に弾性変形し難いため、容器口部Ｍに対する外足８の密着力が増大し、ひいては密封性の向上を図ることができる。そして、後者の効果は、天壁２において外足８の内周側に位置する下面２ｂを外周側に位置する下面２ａよりも上方に形成してあることにより、一層増大することになる。具体的には、内周面のテーパ角度αを１０°、外周面のテーパ角度βを１５°としたり、内周面のテーパ角度αを５°、外周面のテーパ角度βを１０°としたりすることが考えられ、テーパ角度α、βの差を３〜１０°とするのが好ましく、５°あるいは５°程度（４°〜６°）とするのがより好ましい。
【００２３】
なお、本発明は、上記の実施の形態に何ら限定されず、本発明の要旨を逸脱しない範囲において種々に変形して実施し得ることは勿論である。例えば、以下のような変形例を挙げることができる。
【００２４】
上記実施の形態では、天壁２において外足８の内周側に位置する下面２ｂを外周側に位置する下面２ａよりも上方に形成してあるが、これに限らず、下面２ａ、２ｂを同じ高さに形成しても、下面２ａを下面２ｂよりも上方に形成してもよい。
【００２５】
図２、図３に示すように、中足６は外足８よりも下方に突出し、容器口部Ｍはキャッピング時に外足８よりも先に中足６に接触することから、図３に示す例では、外足８の基端部の厚み（径内外方向の幅）を中足６の基端部の厚み（径内外方向の幅）よりも大きくし、外足８よりも中足６を相対的に変形し易くすることにより、キャッピング時の初期抵抗を比較的小さく抑えると共に、キャッピング完了時には外足８が容器口部Ｍに密着して十分な密封性が得られるようにしてあるが、これに限らず、中足６の基端部の厚みを外足８の基端部の厚みと同程度以上としてもよい。
【００２６】
また、上記実施の形態では、外足８の長さＬを１．３５ｍｍ以上としてあるが、これより短くしてもよい。
【００２７】
なお、上記変形例どうしを適宜組み合わせてもよいことはいうまでもない。
【産業上の利用可能性】
【００２８】
本発明に係る樹脂製キャップは、果汁飲料や炭酸飲料の他、種々の飲料、さらには飲料以外の液状体や粉状体等を収容した容器に用いることができる。
【符号の説明】
【００２９】
１    キャップ
２    天壁
２ａ  外足の外周側に位置する下面
２ｂ  外足の内周側に位置する下面
３    スカート壁
４    ローレット溝
５    雌ねじ
６    中足
６ａ  外径最大部
７    環状リブ
８    外足
９    タンパーエビデンスバンド
１０    環状弱化部
１０ａ  ブリッジ
１０ｂ  スリット
１１    係止片
Ｌ    外足の長さ
Ｍ    容器口部
Ｍ１  雄ねじ
Ｍ２  環状突起
α    外足の内周面のテーパ角度
β    外足の外周面のテーパ角度
【図１】
2018047711.tif 000003
【図２】
2018047711.tif 000004
【図３】
2018047711.tif 000005
【国際調査報告】
2018047711.tif 000006
2018047711.tif 000007